【手続補正書】
【提出日】平成26年12月1日(2014.12.1)
【手続補正１】
【補正対象書類名】明細書
【補正対象項目名】０００７
【補正方法】変更
【補正の内容】
【０００７】
上述した課題を解決するために本発明の他の態様は、
複数のデータを分類別に順序付けた各分類系列のデータとして管理する処理と、
タッチ入力手段上でタッチしながら移動するスライド操作の移動方向を検出する処理と、
前記検出された移動方向が複数の所定方向のいずれに該当しているかを判別する処理と、
前記複数の所定方向と前記各分類系列とが対応付けられている対応関係の中から前記判別された移動方向に対応する前記分類系列を選択する処理と、
前記選択された前記分類系列に対応するデータの送り動作を前記スライド操作に応じて制御する処理と、
を備えることを特徴とする表示データ制御方法である。
【手続補正２】
【補正対象書類名】明細書
【補正対象項目名】００３０
【補正方法】変更
【補正の内容】
【００３０】
ここで、制御部１は、タッチ位置の変化によりタッチ移動を検出すると（ステップＡ２でＹＥＳ）、スライド操作が開始されたものと判断して上述のタイマの計測動作を停止させる（ステップＡ５）。そして、動作設定テーブルＴＢ１を参照して（ステップＡ６）、その「送り量」の「有効フラグ」が“１”であるかを調べ（ステップＡ７）、「送り量」の「有効フラグ」が“１”であれば（ステップＡ７でＹＥＳ）、タイマの計測時間に基づいて動作設定テーブルＴＢ１の「送り量」を検索して今回の送り動作の設定値とする（ステップＡ８）。このようにスライド操作の移動方向とは異なる操作状態（タッチ静止時間）に応じて、送り動作の種類（送り量）が変更される。なお、この場合の「送り対象」としては、デフォルト値（例えば、日付順／時刻順）を設定したり、ユーザ操作で任意に選択された「送り対象」を設定したりするようにしてもよい。
【手続補正３】
【補正対象書類名】明細書
【補正対象項目名】００３１
【補正方法】変更
【補正の内容】
【００３１】
また、「送り量」の「有効フラグ」が“１”でなければ（ステップＡ７でＮＯ）、「送り対象」の「有効フラグ」が“１”であるから、タイマの計測時間に基づいて動作設定テーブルＴＢ１の「送り対象」を検索して、今回の送り動作の設定値とする（ステップＡ９）。このように「送り対象」は、今回の送り動作として、どのような種類の分類のデータを送るかを示す送り対象として設定される。このようにスライド操作の移動方向とは異なる操作状態（タッチ静止時間）に応じて、送り動作の種類（送り対象）が変更される。なお、この場合の「送り量」としては、デフォルト値（例えば、１データ）を設定したり、ユーザ操作で任意に選択された「送り量」を設定したりするようにしてもよい。
【手続補正４】
【補正対象書類名】特許請求の範囲
【補正対象項目名】全文
【補正方法】変更
【補正の内容】
【特許請求の範囲】
【請求項１】
表示データの送り動作をタッチ入力手段上のタッチ操作に応じて制御する表示データ制御装置であって、
複数のデータを分類別に順序付けた各分類系列のデータとして管理するデータ管理手段と、
前記タッチ入力手段上でタッチしながら移動するスライド操作の移動方向を検出する移動方向検出手段と、
前記移動方向検出手段により検出された移動方向が複数の所定方向のいずれに該当しているかを判別する判別手段と、
前記複数の所定方向と前記各分類系列とが対応付けられている対応関係の中から前記判別手段により判別された移動方向に対応する前記分類系列を選択する選択手段と、
前記選択手段により選択された前記分類系列に対応するデータの送り動作を前記スライド操作に応じて制御する送り制御手段と、
を備えることを特徴とする表示データ制御装置。
【請求項２】
前記データ管理手段は、前記複数のデータを分類別に異なる基準で順序付けた各分類系列のデータとして管理する、
ようにしたことを特徴とする請求項１に記載の表示データ制御装置。
【請求項３】
前記複数の所定方向と各分類系列との対応関係を設定する設定手段を更に備え、
前記選択手段は、前記設定手段により設定された対応関係に基づいて、前記移動方向に対応する分類系列を選択する、
ようにしたことを特徴とする請求項１あるいは請求項２に記載の表示データ制御装置。
【請求項４】
前記分類別に順序付けた分類系列は、上位の分類系列とその下位の分類系列を有し、
前記選択手段は、前記複数の所定方向のいずれかの方向が前記上位の分類系列に対応付けられ、他のいずれかの方向が前記下位の分類系列に対応付けられている対応関係の中から前記判別手段により判別された移動方向に対応する前記上位の分類系列あるいは下位の分類系列を選択する、
ようにしたことを特徴とする請求項１〜請求項３のいずれかに記載の表示データ制御装置。
【請求項５】
前記上位の分類系列は、日付に順序付けた日付系列であり、前記下位の分類系列は、時刻に順序付けた時刻系列である、
ことを特徴とする請求項４に記載の表示データ制御装置。
【請求項６】
前記複数の所定方向は、左右方向と上下方向であり、
前記判別手段は、前記移動方向検出手段により検出された移動方向が左右方向、上下方向のいずれに該当しているかを判別する、
ようにしたことを特徴とする請求項１〜請求項５のいずれかに記載の表示データ制御装置。
【請求項７】
前記複数の所定方向は、左右方向と上下方向であり、
前記判別手段は、前記移動方向検出手段により検出された移動方向が左右方向と上下方向とに対して斜めとなる方向である場合に、前記左右方向及び上下方向を座標軸とする座標系上のどの象限内に前記斜め方向が含まれているかを更に判別し、
前記選択手段は、前記判別手段により判別された象限に属する左右方向及び上下方向に対応して前記分類系列をそれぞれ選択し、
前記送り制御手段は、前記選択手段により選択された各分類系列を組み合わせたデータに対する送り動作を制御する、
ようにしたことを特徴とする請求項１〜請求項６のいずれかに記載の表示データ制御装置。
【請求項８】
前記タッチ入力手段上で前記スライド操作の移動方向とは異なる操作状態を検出する操作状態検出手段と、
前記操作状態検出手段により検出された操作状態に応じて、前記送り制御手段による送り動作の種類を変更する制御を行う変更制御手段と、
を更に備える、
ようにしたことを特徴とする請求項１〜請求項７のいずれかにに記載の表示データ制御装置。
【請求項９】
前記操作状態検出手段は、前記タッチ入力手段上でタッチしながら移動する前のタッチ操作のタッチ時間を検出し、
前記変更制御手段は、前記操作状態検出手段により検出されたタッチ時間に基づいて前記送り制御手段による送り動作の種類を変更する制御を行う、
ようにしたことを特徴とする請求項８に記載の表示データ制御装置。
【請求項１０】
前記状態検出手段は、前記タッチ入力手段上で複数の位置を同時にタッチしながら同一方向に移動するマルチタッチ操作が行われた場合に、そのマルチタッチ数を検出し、
前記変更制御手段は、前記操作状態検出手段により検出されたマルチタッチ数に基づいて前記送り制御手段による送り動作の種類を変更する制御を行う、
ようにしたことを特徴とする請求項８に記載の表示データ制御装置。
【請求項１１】
前記変更制御手段は、前記送り制御手段による送り動作として送り量を変更する制御を行う、
ようにしたことを特徴とする請求項８あるいは請求項１０に記載の表示データ制御装置。
【請求項１２】
前記変更制御手段は、前記送り制御手段による送り動作として送り対象の前記分類系列を変更する制御を行う、
ようにしたことを特徴とする請求項９あるいは請求項１０に記載の表示データ制御装置。
【請求項１３】
前記送り制御手段が制御する送り動作の制御内容を識別可能に出力する出力手段を更に備える、
ようにしたことを特徴とする請求項１〜１２のいずれかに記載の表示データ制御装置。
【請求項１４】
複数のデータを分類別に順序付けた各分類系列のデータとして管理する処理と、
タッチ入力手段上でタッチしながら移動するスライド操作の移動方向を検出する処理と、
前記検出された移動方向が複数の所定方向のいずれに該当しているかを判別する処理と、
前記複数の所定方向と前記各分類系列とが対応付けられている対応関係の中から前記判別された移動方向に対応する前記分類系列を選択する処理と、
前記選択された前記分類系列に対応するデータの送り動作を前記スライド操作に応じて制御する処理と、
を備えることを特徴とする表示データ制御方法。
【請求項１５】
コンピュータに対して、
複数のデータを分類別に順序付けた各分類系列のデータとして管理する機能と、
タッチ入力手段上でタッチしながら移動するスライド操作の移動方向を検出する機能と、
前記検出された移動方向が複数の所定方向のいずれに該当しているかを判別する機能と、
前記複数の所定方向と前記各分類系列とが対応付けられている対応関係の中から前記判別された移動方向に対応する前記分類系列を選択する機能と、
前記選択された前記分類系列に対応するデータの送り動作を前記スライド操作に応じて制御する機能と、
を実現させるためのプログラム。
【手続補正５】
【補正対象書類名】図面
【補正対象項目名】図３
【補正方法】変更
【補正の内容】
【図３】
2013117907.tif 000001
【手続補正６】
【補正対象書類名】図面
【補正対象項目名】図８
【補正方法】変更
【補正の内容】
【図８】
2013117907.tif 000002